(57)【特許請求の範囲】
【請求項１】
視差画像に基づいて印刷物を製造する印刷物製造装置であって、
複数の画像を入力する画像入力手段と、
上記画像入力手段によって入力された上記複数の画像を繋ぎ合わせて連続したパノラマ画像への変換処理を施す画像変換手段と、
上記画像変換手段によって変換されて生成された上記パノラマ画像に基づいて複数の視点変換画像を生成する視点変換手段と、
上記視点変換手段によって生成された上記複数の視点変換画像に基づいて印刷物を製造する印刷手段とを備え、
上記視点変換手段は、上記印刷物を通して再生される上記パノラマ画像の再生画像の全てが観察できるように、上記パノラマ画像の再生像を観察視点から所定の距離に定位させて上記複数の視点変換画像を生成することを特徴とする印刷物製造装置。
【請求項２】
上記画像変換手段は、上記複数の画像を、上記パノラマ画像が投影されている空間的形状を示す投影方法情報を用いて、上記パノラマ画像へ変換することを特徴とする請求項１記載の印刷物製造装置。
【発明の詳細な説明】
【０００１】
【発明の属する技術分野】
本発明は、視差画像に基づいて印刷物を製造する印刷物製造装置に関する。
【０００２】
【従来の技術】
近年、例えば登録実用新案第３０１４７３３号公報に記載されている映像プリント供給装置のように、被写体の撮影から撮影結果の印刷までのサービスを同一場所で提供可能であるシステムが普及している。
【０００３】
また、最近では、静止画像だけではなく、動画像や視差画像を撮影して印刷するシステムが開発されており、視認する方向を変化させることで、視認される画像が変化する印刷物を得ることもできる。
【０００４】
このような事業を展開する例としては、レンチキュラ技術を利用して印刷物としての視差画像写真を生成するものがあり、例えば、
○“コニカ株式会社”による３眼式レンズ付きフィルム“撮りっきりコニカ３Ｄ（商標）”とその印刷サービス
○“コダック株式会社”による３眼式レンズ付きフィルム“Ｋｏｄａｋスナップキッズ３Ｄ（商標）”とその印刷サービス
○“松下電器産業株式会社”により開発されたものであり、６枚の画像を合成した商品名“ＭＩＰ（Motion Image Print）カード”と、このカードを生成する装置“うごい太郎（商標）”
○“株式会社ちきゅう屋”によるサービスであり、上述した“うごい太郎（商標）”によって生成されるカードの注文をいわゆるインターネットで受け付けるサービス
○“松下電器産業株式会社”による業務用アミューズメント機器の受注販売であり、撮影した連続写真を視認する角度によって被写体が動いているように見える１枚のカードとして提供する動画カードの自動販売機
といったものが挙げられる。
【０００５】
また、同様のシステムとしては、ホログラフィ技術を利用して印刷物を生成するものがあり、このような技術としては、例えば、
○「Akira Shirakura, Nobuhiro Kihara and Shigeyuki Baba, “Instant holographic portrait printing system”, Proceeding of SPIE, Vol. 3293, pp. 246-253, Jan. 1998」
○「木原、白倉、馬場：“高速ホログラムポートレイトプリントシステム”、３次元画像コンファレンス１９９８、１９９８年７月」
に記載されているように、横方向のみの視差を表現可能とする印刷物を生成するシステムの他、
○「山口、本田、大山：“リップマンホログラフィックステレオグラムを用いたホログラフィック３Ｄプリンタ”、第２０回画像工学コンファレンス、１９８９年１２月」
○「遠藤、山口、本田、大山：“ホログラフィック・３−Ｄプリンタの高密度記録”、第２３回画像工学コンファレンス、１９９２年１２月」
に記載されているように、縦横両方向の視差を表現可能とする印刷物を生成するシステムが挙げられる。
【０００６】
このような視差画像を用いて印刷物を製造するシステムは、複数の静止画像を動画像のように表示することにより、専用の撮影装置によって異なる視点からの複数の画像を撮影することにより、又は、コンピュータグラフィックス（Computer Graphics；ＣＧ）によって異なる視点からの複数の画像を生成することにより、印刷物を製造することができる。
【０００７】
一方、近年、いわゆるディジタルスチルカメラやディジタルビデオカメラレコーダといったディジタル画像を取り扱う機器が普及している。そして、これらの機器の普及にともない、例えばコンピュータ等の画像処理を行うことが可能な機器に対して、連続画像や横流し画像を画像データとして取り込み、これらの画像同士を繋ぎ合わせることにより、いわゆるパノラマ画像を生成することも行われている。
【０００８】
このようなパノラマ画像を生成するためのソフトウェアとしては、例えば、
○“ソニー株式会社”が発売している“PictureGear Version4.0（商標）”及び“PictureGear Version5.0（商標）”
○“米国Live Picture Inc.”により開発されたものであり、“ライブピクチャージャパン株式会社”が発売している“Reality Studio（商標）”
○“米国Apple Computer Inc.”により開発されたものであり、“アップルコンピュータ株式会社”が発売している“QuickTime VR Authoring Studio（商標）”
○“三洋電機株式会社”が発売している“パノラマブティック・ライト（商標）”、“パノラマブティック・プロ（商標）”及び“タイリングブティック（商標）”
といったものが挙げられる。
【０００９】
【発明が解決しようとする課題】
ところで、パノラマ画像を観察する観察者は、例えば昇華型プリンタやインクジェットプリンタといった各種プリンタ機器によって２次元の印刷物又は写真を製造することにより、パノラマ画像を観察することができる。
【００１０】
しかしながら、このような２次元の印刷物又は写真は、例えば図１６に示すように、パノラマ画像を表示できる大きさを必要とする。すなわち、２次元の印刷物又は写真Ｐは、パノラマ画像ＰＩの大きさに依存した大きさを有するものとなり、少なくともパノラマ画像ＰＩの大きさ以上の物理的な大きさを有するものとなる。これは、印刷物や写真として物理的に製造されたパノラマ画像を観察する場合に限らず、ブラウン管や液晶等の表示装置に表示されたパノラマ画像を観察する場合も同様であって、表示装置における表示画面の大きさは、表示対象であるパノラマ画像の大きさに依存する。すなわち、観察者は、例えば数百画素×数百画素又は数千画素×数千画素からなる画像を表示可能な表示装置を用意し、パノラマ画像を数百画素×数百画素又は数千画素×数千画素からなる１枚の画像として表示装置に表示させて観察することになる。
【００１１】
また、パノラマ画像を観察する観察者は、専用のビューアソフトウェアを用いることによっても、パノラマ画像を観察することができる。すなわち、例えば図１７に示すように、観察者ＯＢは、専用のビューアソフトウェアが動作可能なコンピュータＣＯＭ等を用い、マウスやキーボード等の入力装置を介して表示装置Ｍに表示されたウィンドウＷを表示画面上で動かすことによってパノラマ画像ＰＩの一部を切り出して表示装置Ｍに表示することにより、パノラマ画像ＰＩを観察することができる。
【００１２】
このようなビューアソフトウェアとしては、例えば、
○“米国Live Picture Inc.”により開発されたものであり、“ライブピクチャージャパン株式会社”が無償配布している“LivePicture Plug-in Viewer（商標）”
○“米国Apple Computer Inc.”により開発されたものであり、“アップルコンピュータ株式会社”が無償配布している“QuickTime 4.1.2（商標）”及び“アップルコンピュータ株式会社”が発売している“QuickTime Pro（商標）”
といったものが挙げられる。
【００１３】
しかしながら、このようなビューアソフトウェアを用いてパノラマ画像を観察するためには、観察者は、マウスやキーボード等の入力装置や表示装置を備え、ビューアソフトウェアが動作可能なシステムを必要とすることになる。そのため、観察者にとっては、これらのハードウェア及びソフトウェアを用意する必要性から、負担が大きくなるといった問題があった。
【００１４】
本発明は、このような実情に鑑みてなされたものであり、印刷物でありながら、２次元の印刷物又は写真のように物理的な大きさを必要とせず、パノラマ画像のようなサイズの大きい静止画像を観察可能とする印刷物を製造することができる印刷物製造装置を提供することを目的とする。
【００１５】
【課題を解決するための手段】
上述した目的を達成する本発明にかかる印刷物製造装置は、視差画像に基づいて印刷物を製造する印刷物製造装置であって、複数の画像を入力する画像入力手段と、この画像入力手段によって入力された複数の画像を繋ぎ合わせて連続したパノラマ画像への変換処理を施す画像変換手段と、この画像変換手段によって変換されて生成されたパノラマ画像に基づいて複数の視点変換画像を生成する視点変換手段と、この視点変換手段によって生成された複数の視点変換画像に基づいて印刷物を製造する印刷手段とを備え、視点変換手段は、上記印刷物を通して再生される上記パノラマ画像の再生画像の全てが観察できるように、上記パノラマ画像の再生像が観察視点から所定の距離に定位させて複数の視点変換画像を生成するようにしたものである。
【００１６】
このような本発明にかかる印刷物製造装置は、複数の画像に基づいて画像変換手段によってパノラマ画像を生成し、このパノラマ画像が観察視点から所定の距離に定位するように視点変換手段によって複数の視点変換画像を生成し、この複数の視点変換画像に基づいて印刷手段によって印刷物を製造する。
【００１９】
【発明の実施の形態】
以下、本発明を適用した具体的な実施の形態について図面を参照しながら詳細に説明する。
【００２０】
この実施の形態は、２次元の静止画像を印刷物として提供する印刷物製造装置である。この印刷物製造装置は、レンチキュラ技術を利用した視差画像写真や、ホログラム又はホログラフィックステレオグラム等の視差画像印刷物を利用するものであって、いわゆるパノラマ画像のようなサイズの大きい静止画像を、観察視点から所定の距離に定位するように記録することにより、印刷物でありながら、あたかもビューアソフトウェアのように、画像の大きさよりも物理的に小さい表示面から、当該画像の全情報を観察することができる印刷物を製造するものである。
【００２１】
概念的には、例えば図１に示すように、観察者ＯＢは、印刷物製造装置によって製造された印刷物Ｐを通して静止画像であるパノラマ画像ＰＩの再生像を観察することになる。ここで、印刷物Ｐは、パノラマ画像ＰＩの再生像が当該印刷物Ｐの表示面に対して手前又は奥の所定の距離に定位するように記録している。なお、同図においては、パノラマ画像ＰＩの再生像が印刷物Ｐの表示面に対して観察視点から奥の所定の距離に定位するように記録している例を示している。そのため、観察者ＯＢは、パノラマ画像ＰＩのうちの同図中破線部で囲まれた領域を印刷物Ｐを通して観察することができる。そして、観察者ＯＢは、図２に示すように、Ａの位置から印刷物Ｐを観察することにより、パノラマ画像ＰＩのうちの同図中破線部で囲まれた領域ＰＩＡを印刷物Ｐを通して観察することができ、Ｂの位置から印刷物Ｐを観察することにより、パノラマ画像ＰＩのうちの同図中破線部で囲まれた領域ＰＩＢを印刷物Ｐを通して観察することができる。したがって、観察者ＯＢは、異なる観察視点から印刷物Ｐを観察することにより、パノラマ画像ＰＩの大きさよりも物理的に小さい印刷物Ｐの表示面から、当該パノラマ画像ＰＩの全情報を観察することができる。
【００２２】
さて、このような印刷物Ｐを製造することができる印刷物製造装置について説明する。なお、以下では、印刷物製造装置は、ホログラフィックステレオグラム画像が露光記録されたホログラフィックステレオグラムを印刷物Ｐとして製造するものとして説明する。
【００２３】
図３に示すように、印刷物製造装置１は、画像処理を行う画像処理用コンピュータ１０と、この画像処理用コンピュータ１０によって生成された複数の視点変換画像からなる視点変換画像列ＰＸＩに基づいて印刷物Ｐを製造する印刷手段である印刷部６０とを備える。
【００２４】
画像処理用コンピュータ１０は、複数の画像からなる画像列Ｉを入力する画像入力手段である画像入力部２０と、この画像入力部２０によって入力された複数の画像からなる入力済画像列ＩＩに対してパノラマ画像への変換処理を施す画像変換手段である画像変換部３０と、この画像変換部３０によって変換されて生成されたパノラマ画像ＰＩに基づいて複数の視点変換画像からなる視点変換画像列ＰＸＩを生成する視点変換手段である画像処理部４０と、印刷部６０を制御する印刷制御部５０とを有する。
【００２５】
画像入力部２０は、ディジタルスチルカメラ１００によって撮影された連続画像や、ここでは図示しないいわゆるビデオカメラレコーダによって撮影された横流し画像といった少なくとも２枚以上の複数の画像からなる画像列Ｉを入力する。画像入力部２０は、例えば、いわゆるフレキシブルディスクやハードディスク等の磁気記録媒体、ＣＤ−ＲＯＭ（Compact Disc - Read Only Memory）、ＣＤ−Ｒ（Compact Disc - Recordable）又はＤＶＤ（Digital Versatile Disc）等の光記録媒体、ＭＯ（Magneto Optical）等の光磁気記録媒体、メモリスティック（商標）、コンパクトフラッシュ（商標）又はスマートメディア（商標）等の半導体記録媒体、ＵＳＢ（Universal Serial Bus）（商標）、ＩＥＥＥ（The Institute of Electrical and Electronics Engineers, Inc.）によって承認されたIEEE Std. 1394-1995 IEEE Standard for a High Performance serial Bus規格、ＳＣＳＩ（Small Computer System Interface）又はＲＳ−２３２Ｃ等のインターフェース、並びに、イーサネット（商標）や電話回線を含むネットワークインターフェース等を介して、画像列Ｉを入力する。
【００２６】
なお、この画像列Ｉを構成する各画像には、当該画像が撮影されたときの被写体距離、焦点面での解像度及び／又は焦点距離等の視野角（画角）情報、並びに、撮影に用いたカメラ等の機種名情報等が付随的に記録されていることが望ましい。これらの各種情報は、例えば、画像ファイルフォーマット規格Ｅｘｉｆ（Exif Version2.1、ディジタルスチルカメラ用画像ファイルフォーマット規格（Exif）Version2.1、日本電子工業振興協会、１９９８）による記録形式に準拠して、各画像に記録される。
【００２７】
このような画像入力部２０によって入力された複数の画像からなる入力済画像列ＩＩは、画像変換部３０に供給される。
【００２８】
画像変換部３０は、入力済画像列ＩＩを構成する複数の画像を繋ぎ合わせることにより、パノラマ画像ＰＩへと変換する。この際、画像変換部３０は、既存の任意の方法を用いてパノラマ画像ＰＩを生成する。例えば、画像変換部３０は、入力済画像列ＩＩを構成する各画像の空間的相関を求めることにより、並進、回転、拡大、縮小等の幾何的な位置関係を求め、得られた幾何的な位置関係に基づいて、並進、回転、拡大、縮小等の空間的処理を加えた上で、重ね合わせ及び繋ぎ合わせを行う。また、画像変換部３０は、各画像の重ね合わせ及び繋ぎ合わせを行う際には、各画像の空間的相関に応じて、重ね合わせる領域の決定や各画像の重ね合わせの度合いを調整することにより、継ぎ目が少ない又は見えにくいパノラマ画像ＰＩを生成することができる。
【００２９】
なお、印刷物製造装置１は、入力済画像列ＩＩを構成する各画像に上述した視野角情報が記録されている場合には、これらの視野角情報と各画像の幾何的な位置関係とに基づいて、合成されたパノラマ画像ＰＩの視野角情報を得ることができる。また、印刷物製造装置１は、視野角情報の代わりに上述した機種名情報が入力済画像列ＩＩを構成する各画像に記録されている場合には、この機種名情報に基づいて、各画像の視野角を求めることもできる。これらの視野角情報は、後述する画像処理部４０におけるマッピング変換処理に用いられる。
【００３０】
また、画像変換部３０は、パノラマ画像ＰＩを生成する際に、空間的形状が平面、円筒面又は球面といったように、パノラマ画像ＰＩの空間的形状を任意に定めることができる。例えば、魚眼レンズは、球面に投影されるべきパノラマ画像を平面に投影して表示するものであるが、画像変換部３０は、この魚眼レンズを通して観察されるパノラマ画像と同様に、パノラマ画像ＰＩの空間的形状を算出し、生成することができる。画像変換部３０は、パノラマ画像ＰＩがどのような空間的形状に投影されているかを示す投影方法情報を、生成したパノラマ画像ＰＩに付随的に記録することができる。この投影方法情報は、後述する画像処理部４０におけるマッピング変換処理に用いられる。
【００３１】
このような画像変換部３０によって生成されたパノラマ画像ＰＩは、画像処理部４０に供給される。
【００３２】
画像処理部４０は、最終的にホログラフィックステレオグラム画像として再生されるパノラマ画像ＰＩの再生像を所定の距離に定位させるためのマッピング変換処理（視点変換処理）を施す。ここで、マッピング変換処理は、印刷物Ｐを製造した際に、ホログラフィックステレオグラム画像として再生されるパノラマ画像ＰＩの再生像が観察視点から所定の距離に定位するように再構成し、視点を変換した視点変換画像を生成する処理である。このマッピング変換処理においては、最終的に製造された印刷物Ｐにおいて再生されるパノラマ画像ＰＩの再生像をどの距離に定位させるかを示す距離情報が、予め定められるべきパラメータの１つとなる。画像処理部４０は、パノラマ画像ＰＩの視野角情報を把握している場合には、この視野角情報に関連付けて、再生像を定位させるべき距離を算出することができる。また、画像処理部４０は、パノラマ画像ＰＩの投影方法情報を把握している場合には、この投影方法情報を利用して、視点変換画像列ＰＸＩを生成することができる。画像処理部４０によって生成された視点変換画像列ＰＸＩを構成する複数の視点変換画像は、それぞれ、ホログラフィックステレオグラムとして露光記録する際に後述する透過型液晶表示器に順次表示される表示要素単位である要素ホログラム画像として印刷部６０に供給される。なお、マッピング変換処理については、後に詳述するものとする。
【００３３】
印刷制御部５０は、印刷物製造装置１の各部を統括的に制御するものであり、特に、印刷部６０の動作制御を行う。
【００３４】
印刷部６０は、印刷制御部５０の制御のもとに、要素ホログラム画像となる複数の視点変換画像からなる視点変換画像列ＰＸＩに基づいて印刷物Ｐを製造する。具体的には、印刷部６０は、ホログラフィックステレオグラムを作製するための所定の光学系を有し、視点変換画像列ＰＸＩを構成する複数の視点変換画像を要素ホログラム画像としてホログラム用記録媒体に露光記録することによってホログラフィックステレオグラムを作製し、このホログラフィックステレオグラムに対して所定の定着処理を施すことにより、印刷物Ｐを製造する。なお、印刷部６０の構成については、後に詳述するものとする。
【００３５】
このような印刷物製造装置１は、複数の画像からなる画像列Ｉに基づいてパノラマ画像ＰＩを生成し、このパノラマ画像ＰＩの再生像が観察視点から所定の距離に定位するように所定のマッピング変換処理を施し、得られた視点変換画像列ＰＸＩを構成する各視点変換画像を要素ホログラム画像としてホログラム用記録媒体に露光記録することにより、パノラマ画像ＰＩの大きさよりも物理的に小さい表示面を有するホログラフィックステレオグラムからなる印刷物Ｐを製造することができる。したがって、印刷物製造装置１は、先に図２に示したように、観察者ＯＢが異なる観察視点から印刷物Ｐを観察することにより、パノラマ画像ＰＩの全情報を観察することができる。
【００３６】
なお、印刷物製造装置１においては、ディジタル画像を用いて処理を行う場合には、画像入力部２０、画像変換部３０、画像処理部４０及び印刷部制御部５０をハードウェアとして構成するのみならず、画像処理用コンピュータ１０によって動作可能な画像処理用のソフトウェアとして実現することもできる。
【００３７】
以下、上述した印刷部６０の構成について図４乃至図７を用いて詳細に説明する。ここではまず、印刷部６０の構成の説明に先だって、ホログラム用記録媒体に対する要素ホログラムの露光記録原理について説明する。
【００３８】
図４に示すように、ホログラム用記録媒体１１０は、例えば長尺状のベースフィルム１１１の上に光重合型フォトポリマからなるフォトポリマ層１１２が形成されるとともに、このフォトポリマ層１１２の上に、カバーフィルム１１３が被着形成されたいわゆるフィルム塗布型記録媒体である。
【００３９】
このようなホログラム用記録媒体１１０は、図５（Ａ）に示すように、フォトポリマ層１１２を構成する光重合型フォトポリマが、初期状態においてはマトリクスポリマ中にモノマＭが均一に分散している状態にある。光重合型フォトポリマは、１０ｍＪ／ｃｍ２乃至４００ｍＪ／ｃｍ２のパワーを有するレーザ光ＬＡが照射されることにより、同図（Ｂ）に示すように、露光部においてマトリクスポリマ中に均一に分散していたモノマＭが重合してポリマ化した状態となる。
【００４０】
光重合型フォトポリマは、ポリマ化するにつれて、モノマＭが周囲から移動することによるモノマＭの濃度の不均一さから、露光部と未露光部とで屈折率の変調が生じる。光重合型フォトポリマは、この後、同図（Ｃ）に示すように、１０００ｍＪ／ｃｍ２程度のパワーの紫外線又は可視光ＬＢが全面に照射されることにより、マトリクスポリマ中においてモノマＭの重合が完了する。ホログラム用記録媒体１１０は、このようにフォトポリマ層１１２を構成する光重合型フォトポリマが、入射されたレーザ光ＬＡに応じて屈折率が変化することから、物体光と参照光との干渉によって生じる干渉縞を屈折率の変化として露光記録する。
【００４１】
印刷部６０は、ホログラム用記録媒体１１０として、このような光重合型フォトポリマによってフォトポリマ層１１２を構成したフィルム塗布型記録媒体を用いることにより、露光後に、ホログラム用記録媒体１１０に特別な現像処理を施す工程が不要とされる。したがって、印刷部６０は、現像装置等が不要とされることによってその構成を簡易化することができるとともに、ホログラフィックステレオグラムを迅速に製造することができる。
【００４２】
さて、このようなホログラム用記録媒体１１０に対してホログラフィックステレオグラム画像を露光記録してホログラフィックステレオグラムを作製し、印刷物Ｐを製造する印刷部６０は、図６（Ａ）に示すように、ホログラフィックステレオグラムを作製するための光学系７０を有する。印刷部６０においては、図示しないが、光学系７０を構成する各部材が支持基板（光学定盤）に配設支持されるとともに、この支持基板をダンパを介して装置筐体に支持されている。光学系７０は、入射光学系７０Ａ、物体光学系７０Ｂ及び参照光学系７０Ｃを有する。なお、印刷部６０は、印刷物Ｐとしてのホログラフィックステレオグラムを作製するために、感光材であるホログラム用記録媒体１を用いることから、装置筐体は、少なくとも光学系７０の遮光性を保持した構造となっている。
【００４３】
入射光学系７０Ａは、所定の波長のレーザ光Ｌ１を出射するレーザ光源７１と、このレーザ光源７１からのレーザ光Ｌ１の光軸上に配されてレーザ光Ｌ１を後段へ入射させる又は遮断するシャッタ機構７２と、レーザ光Ｌ１を物体光Ｌ２と参照光Ｌ３とに分割するハーフミラー７３とを有する。
【００４４】
レーザ光源７１は、例えば単一波長で且つ干渉性のよいレーザ光Ｌ１を出射する半導体励起ＹＡＧレーザ装置、水冷アルゴンイオンレーザ装置又は水冷クリプトンレーザ装置等のレーザ装置から構成される。
【００４５】
シャッタ機構７２は、視点変換画像列ＰＸＩを構成する要素ホログラム画像となる視点変換画像の出力タイミングに対応して上述した印刷制御部５０から出力された制御信号によって開閉動作され、レーザ光Ｌ１を後段の光学系へと入射させる、又は、レーザ光Ｌ１の後段の光学系への入射を遮断する。
【００４６】
ハーフミラー７３は、入射されたレーザ光Ｌ１を透過光と反射光とに分割する。レーザ光Ｌ１は、透過光が上述した物体光Ｌ２として用いられる一方、反射光が参照光Ｌ３として用いられる。これらの物体光Ｌ２と参照光Ｌ３とは、それぞれ後段に設けられた物体光学系７０Ｂ又は参照光学系７０Ｃに入射される。
【００４７】
なお、入射光学系７０Ａには、図示しないが、レーザ光Ｌ１の進行方向を適宜変化させ、物体光Ｌ２と参照光Ｌ３との光路長を同一にすること等を目的としてミラー等を設けてもよい。また、シャッタ機構７２は、例えば、シャッタ片を機械的に駆動するように構成したものや、音響光学変調器（Acousto-Optic Modulation；ＡＯＭ）を用いた電子シャッタによって構成したものであってもよい。すなわち、シャッタ機構７２は、レーザ光Ｌ１を遮蔽及び透過可能とする開閉自在なものであればよい。
【００４８】
物体光学系７０Ｂは、同図（Ａ）及び同図（Ｂ）に示すように、ミラー７４、スペーシャルフィルタ７５、コリメータレンズ７６、投影レンズ７７、シリンドリカルレンズ７８及びマスク７９等の光学部品を有し、これらの各光学部品を光軸に沿ってその入力側から順次配列させている。
【００４９】
ミラー７４は、ハーフミラー７３を透過した物体光Ｌ２を反射する。このミラー７４によって反射された物体光Ｌ２は、スペーシャルフィルタ７５へと入射される。
【００５０】
スペーシャルフィルタ７５は、例えば凸レンズとピンホールとを組み合わせて構成されており、ミラー７４によって反射された物体光Ｌ２を後述する透過型液晶表示器８０の表示面幅に対応して等方的に拡大させる。
【００５１】
コリメータレンズ７６は、スペーシャルフィルタ７５によって拡大された物体光Ｌ２を、平行光化して透過型液晶表示器８０へと導光する。
【００５２】
投影レンズ７７は、物体光Ｌ２を若干拡散させ、シリンドリカルレンズ７８へと投影する。この投影レンズ７７は、物体光Ｌ２を若干拡散させることにより、製造されるホログラフィックステレオグラムの画質の向上に寄与するものである。
【００５３】
シリンドリカルレンズ７８は、平行光化された物体光Ｌ２を横方向に対して集光する。
【００５４】
マスク７９は、短冊状の開口部を有しており、シリンドリカルレンズ７８によって集光された物体光Ｌ２のうち、開口部を通過したものを、ホログラム用記録媒体１１０へと入射させる。
【００５５】
また、物体光学系７０Ｂには、コリメータレンズ７６と投影レンズ７７との間に位置して透過型液晶表示器８０が配設されている。透過型液晶表示器８０には、上述した画像処理部４０から供給された視点変換画像列ＰＸＩに基づいて、視点変換画像が要素ホログラム画像として順次表示される。なお、印刷部６０は、画像処理部４０からの視点変換画像列ＰＸＩの出力タイミングに対応して上述した印刷制御部５０から出力される制御信号が後述するホログラム用記録媒体１１０の記録媒体送り機構８４に供給され、その動作制御が行われることにより、ホログラム用記録媒体１１０の送り動作が制御される。
【００５６】
このような物体光学系７０Ｂにおいては、入射光学系７０Ａから分割されて入射される細いビーム状である物体光Ｌ２が、スペーシャルフィルタ７５によって拡大されるとともに、コリメータレンズ７６に入射することで平行光とされる。さらに、物体光学系７０Ｂにおいては、コリメータレンズ７６を介して透過型液晶表示器８０に入射された物体光Ｌ２が、この透過型液晶表示器８０に表示された要素ホログラム画像に応じて画像変調されるとともに、投影レンズ７７を介してシリンドリカルレンズ７８へと入射される。そして、物体光学系７０Ｂは、シャッタ機構７２が開放動作されている間、画像変調された物体光Ｌ２をマスク７９の開口部を介してホログラム用記録媒体１１０に入射させ、要素ホログラム画像に対応してこれを露光記録する。
【００５７】
参照光学系７０Ｃは、スペーシャルフィルタ８１、コリメータレンズ８２及びミラー８３を有し、これらの各光学部品を光軸に沿ってその入力側から順次配列させている。
【００５８】
スペーシャルフィルタ８１は、上述した物体光学系７０Ｂにおけるスペーシャルフィルタ７５とは異なり、例えばシリンドリカルレンズとスリットとが組み合わされて構成され、ハーフミラー７３によって反射分割された参照光Ｌ３を所定幅、具体的には、透過型液晶表示器８０の表示面幅に対応して１次元方向に拡大させる。
【００５９】
コリメータレンズ８２は、スペーシャルフィルタ８１によって拡大された参照光Ｌ３を平行光化する。
【００６０】
ミラー８３は、参照光Ｌ３を反射させてホログラム用記録媒体１１０の後方へと導光して入射させる。
【００６１】
このような光学系７０は、ハーフミラー７３によって分割された物体光Ｌ２が通過する光学系である物体光学系７０Ｂと、参照光Ｌ３が通過する光学系である参照光学系７０Ｃとの光路長がほぼ同一に構成されている。したがって、光学系７０は、物体光Ｌ２と参照光Ｌ３との干渉性の向上が図られて、より鮮明な再生像が得られるホログラフィックステレオグラムを製造することができる。
【００６２】
さらに、印刷部６０は、ホログラム用記録媒体１１０を図６（Ｂ）中矢印ａで示す方向へと１要素ホログラム分だけ間欠送りする記録媒体送り機構８４を備え、この記録媒体送り機構８４によってホログラム用記録媒体１１０を図７に示す記録媒体走行系に沿って走行させる。ここで、ホログラム用記録媒体１１０は、同図に示すように、長尺状の感光フィルムからなり、例えば全体が遮光状態に保持されたフィルムカートリッジ９１の内部に回転自在に備えられた供給ロール９１ａに巻回されている。ホログラム用記録媒体１１０は、このフィルムカートリッジ９１が印刷部６０に装填されると、印刷部６０の内部に繰り出され、記録媒体送り機構８４によって記録媒体走行系を走行駆動する。
【００６３】
記録媒体走行系は、図７に示すように、上述した供給ロール９１ａと、記録媒体送り機構８４と、ヒートローラ９３と、一対の排出ローラ９４ａ、９４ｂと、カッタ９５等によって略Ｓ字状を呈して構成される。記録媒体走行系には、記録媒体送り機構８４とヒートローラ９３との間に位置して、紫外線ランプ９２が配設されている。
【００６４】
記録媒体送り機構８４は、フィルムカートリッジ９１から繰り出されたホログラム用記録媒体１１０を保持して走行させる駆動ローラ９６及びこの駆動ローラ９６に添動して回転するピンチローラ９７と、駆動ローラ９６の駆動源を構成する図示しないステッピングモータ等によって構成されている。記録媒体送り機構８４は、上述した印刷制御部５０から供給される制御信号に基づいて、駆動ローラ９６がステッピングモータによって間欠的に回転駆動されることにより、駆動ローラ９６とピンチローラ９７とで挟み込まれたホログラム用記録媒体１１０を間欠的に走行駆動する。
【００６５】
紫外線ランプ９２は、上述したように駆動ローラ９６とヒートローラ９３との間の記録媒体走行系に沿って配置されている。紫外線ランプ９２は、物体光Ｌ２と参照光Ｌ３との干渉縞によるホログラフィックステレオグラムが露光記録されたホログラム用記録媒体１１０に対して、１０００ｍＪ／ｃｍ２  程度のパワーの紫外線ＬＢを照射することにより、マトリクスポリマ中においてモノマＭの重合を完了させる。
【００６６】
ヒートローラ９３は、その外周部にホログラム用記録媒体１１０を約半周の巻付角を以って掛け合わせて走行させる。また、ヒートローラ９３は、内部にヒータ９３ａが備えらており、約１２０℃程度の温度に保持されることによってホログラム用記録媒体１１０を加熱してそのフォトポリマ層１１２の屈折率変調度を増加させる。
【００６７】
排出ローラ９４ａ及び９４ｂは、上述した印刷制御部５０から供給される制御信号に基づいて駆動されるステッピングモータによって駆動ローラ９６と同期して間欠駆動される。排出ローラ９４ａ及び９４ｂは、ホログラム用記録媒体１１０を、１要素ホログラム画像分の露光記録終了毎に、当該１要素ホログラムに対応して間欠的に送り出す。したがって、ホログラム用記録媒体１１０は、これら排出ローラ９４ａ及び９４ｂと上述した記録媒体送り機構８４とにより、撓むことなくヒートローラ９３の外周部に密着した状態で走行される。
【００６８】
カッタ９５は、上述した印刷制御部５０から供給される制御信号に基づいて駆動される図示しない駆動機構によって駆動され、走行するホログラム用記録媒体１１０を一定長さ、すなわち、ホログラフィックステレオグラム画像毎に切断する。
【００６９】
このような光学系７０及び記録媒体走行系を有する印刷部６０は、１要素ホログラム画像分の露光記録終了毎に、印刷制御部５０から１要素ホログラムに対応した制御信号が記録媒体送り機構８４に対して供給されることにより、物体光学系７０Ｂと参照光学系７０Ｃとの光軸がそれぞれホログラム用記録媒体１１０の表裏面に対して直交するように、ホログラム用記録媒体１１０を１要素ホログラムに対応した量だけ走行路に沿って走行駆動させ、供給ロール９１ａと駆動ローラ９６との間に未露光部位を対応させて停止させる。なお、印刷部６０は、ホログラム用記録媒体１１０の走行動作に伴って当該ホログラム用記録媒体１１０に生じた振動が速やかに停止されるように構成される。
【００７０】
印刷部６０は、この状態でシャッタ機構７２が開放動作されてホログラム用記録媒体１１０に対してその表裏面から画像変調された物体光Ｌ２と参照光Ｌ３とを入射させ、要素ホログラム画像に対応した干渉縞を露光記録する。印刷部６０は、１要素画像の露光記録が終了すると印刷制御部５０から記録媒体送り機構８４に対して制御信号が供給され、ホログラム用記録媒体１１０を速やかに所定量だけ走行駆動させ停止させる。
【００７１】
さらに、印刷部６０は、記録媒体走行系における紫外線ランプ９２によるホログラム用記録媒体１１０に対する紫外線の照射処理と、ヒートローラ９３によるホログラム用記録媒体１１０に対する所定温度での加熱処理とからなる定着処理を行い、ホログラム用記録媒体１１０に対して露光記録されたホログラフィックステレオグラム画像を定着させる。印刷部６０は、定着処理が施されたホログラム用記録媒体１１０を、カッタ９５によってホログラフィックステレオグラム画像毎に所定の大きさに順次切り抜き、必要に応じて、台紙等を貼付して、１枚のホログラフィックステレオグラムからなる印刷物Ｐとして外部に排出する。
【００７２】
印刷部６０は、以下順次この動作を行うことにより、ホログラフィックステレオグラムを作製し、印刷物Ｐを製造する。
【００７３】
さて、以下では、このような印刷部６０における透過型液晶表示器８０に表示される要素ホログラム画像としての視点変換画像列ＰＸＩを生成する上述した画像処理部４０におけるマッピング変換処理（視点変換処理）について詳細に説明する。なお、ここでは、説明の便宜上、パノラマ画像ＰＩの再生像が印刷物Ｐの表示面に対して観察視点から奥の所定の距離に定位するように記録する場合について説明する。
【００７４】
印刷物製造装置１においては、上述したように、画像処理部４０によってパノラマ画像ＰＩに対してマッピング変換処理を施し、印刷部６０によってホログラム用記録媒体１１０に対して要素ホログラム画像として露光記録すべき複数の視点変換画像からなる視点変換画像列ＰＸＩを生成する。印刷物製造装置１においては、マッピング変換処理を行うことにより、図８に概略を示すように、観察者ＯＢによる観察視点から所定の距離ｅだけ離隔された印刷物Ｐの表示面、すなわち、ホログラム面ＳＦから、さらに所定の距離ｆだけ離隔された位置にパノラマ画像ＰＩがホログラフィックステレオグラム画像として再生される印刷物Ｐを製造することができる。このマッピング変換処理についての基本的な原理については、文字列情報や画像情報等の２次元画像情報を、ホログラフィックステレオグラム画像と合成してホログラム用記録媒体の任意の深さ位置に露光記録するものとして、本件出願人が先に出願している特開平１１−１０９８３９号公報に記載されている。まず、この基本原理について、図９乃至図１２を用いて簡単に説明する。
【００７５】
ホログラフィックステレオグラムは、印刷部６０における光学系７０と同様の光学系によって作製することができ、上述した透過型液晶表示器８０に相当する表示手段を透過した物体光は、図９に示すように、上述したシリンドリカルレンズ７８に相当する光学部品ＯＰによって横方向に対して集光され、ホログラム用記録媒体に入射される。
【００７６】
ここで、表示手段を透過した物体光によって露光記録される要素ホログラム画像に対応する画像を投影画像ＰＪと称し、物体光の集光点が属する表示面をホログラム面ＳＦと称する。また、画像が露光記録されるホログラム面ＳＦからｚだけ離隔された深さ位置の面をスクリーン面ＳＣと称する。このスクリーン面ＳＣは、仮想面であり、同図中斜線部で示す領域に画像が投影されることを示すものである。このスクリーン面ＳＣ上に投影される画像を仮想投影像ＶＰと称する。この仮想投影像ＶＰは、所定の深さ位置ｚ[mm]に実際に露光記録される画像に対応するものである。
【００７７】
さらに、投影画像ＰＪにおける横方向（視差方向）の長さをＹｓ[mm]とし、縦方向（非視差方向）の長さをＸｓ[mm]とし、横方向の画素数をＹｓｐ[pixel]とし、縦方向の画素数をＸｓｐ[pixel]とする。また、仮想投影像ＶＰにおける横方向（視差方向）の長さをＹｈ[mm]とし、縦方向（非視差方向）の長さをＸｈ[mm]とし、横方向の画素数をＹｈｐ[pixel]とし、縦方向の画素数をＸｈｐ[pixel]とする。なお、仮想投影像ＶＰにおける縦方向の長さＸｈ[mm]は、投影画像ＰＪにおける縦方向の長さＸｓ[mm]と等しく、これにともない、仮想投影像ＶＰにおける縦方向の画素数Ｘｈｐ[pixel]は、投影画像ＰＪにおける縦方向の画素数Ｘｓｐ[pixel]と等しい。また、仮想投影像ＶＰにおける横方向の画素数Ｙｈｐ[pixel]については、投影画像ＰＪにおける縦方向の画素数Ｘｓｐ[pixel]に対する仮想投影像ＶＰの縦横比にすることが望ましい。すなわち、仮想投影像ＶＰにおける横方向の画素数Ｙｈｐ[pixel]については、次式（１）に示すように、
Ｙｈｐ＝Ｘｓｐ×（Ｙｈ／Ｘｈ）  ・・・（１）
とするのが望ましい。
【００７８】
また、投影画像ＰＪを集光する光学部品ＯＰは、焦点距離をｆ[mm]とし、集光角をθ[degree]とすると、次式（２）に示すように、
θ＝ｔａｎ−１（Ｙｓ／ｆ）  ・・・（２）
の関係を満たすものとなる。さらに、観察者ＯＢによる観察視点からホログラム面ＳＦまでの距離をｅ[mm]とする。
【００７９】
さて、このような条件のもとに、ホログラム面ＳＦには、図１０（Ａ）に示すように、横方向のあるポイントＰＰからスクリーン面ＳＣを見込む領域に仮想投影像ＶＰが投影される。したがって、スクリーン面ＳＣには、この仮想投影像ＶＰにおける横方向の画素数Ｙｈｐ[pixel]のうち、（Ｙｈｐ×Ｙｉ／Ｙｈ）[pixel]の画素を抜き出したものが投影されればよい。ただし、Ｙｉは、次式（３）に示すように、
Ｙｉ＝２×ｚ×ｔａｎ（θ／２）  ・・・（３）
である。この原理から明らかなように、マッピング変換処理においては、画像をホログラム用記録媒体の所定の深さ位置ｚ[mm]に露光記録する場合には、観察視点からホログラム面ＳＦまでの距離ｅ[mm]に制限されることはない。
【００８０】
一方、同図（Ｂ）に示すように、画像をホログラム面ＳＦから所定の深さ位置ｚ[mm]に露光記録することから、投影画像ＰＪは、ホログラム面ＳＦ上において縦方向についてｅ／（ｅ＋ｚ）の倍率で縮小されなければならない。投影画像ＰＪは、ホログラム面ＳＦ上での縦方向の長さ（Ｘｓ×ｅ／（ｅ＋ｚ））[mm]が、スクリーン面ＳＣから拡大又は縮小されずにそのまま露光記録される。したがって、スクリーン面ＳＣには、この仮想投影像ＶＰにおける縦方向の画素数Ｘｈｐ[pixel]のうち、（Ｘｈｐ×ｅ／（ｅ＋ｚ））[pixel]の画素を抜き出したものが投影されればよい。
【００８１】
さらに、マッピング変換処理においては、ホログラム面ＳＦ上の移動ピッチｄｙ[mm]とスクリーン面ＳＣにおける切出範囲の中心位置との関係を考慮する必要がある。この関係は、表示手段に表示するための要素ホログラム画像に対応する画像を生成するにあたって、その原画像に対して（Ｙｈｐ×ｄｙ／Ｙｈ）[pixel]の移動条件を与えればよい。
【００８２】
このようなマッピング変換処理が施されて視点が変換された１枚の要素ホログラム画像に対応する画像と再生像との関係をまとめると、図１１に示すようになる。マッピング変換処理が施された画像が表示された上述した透過型液晶表示器８０に相当する表示手段を透過した物体光を用いて、ホログラム用記録媒体の深さ位置ｚ[mm]に露光記録された投影画像ＰＪにおける横方向（視差方向）の長さをＹｒ[mm]とし、縦方向（非視差方向）の長さをＸｒ[mm]とし、横方向の画素数をＹｒｐ[pixel]とし、縦方向の画素数をＸｒｐ[pixel]とする。なお、投影画像ＰＪにおける縦方向の解像度Ｍｒ[pixel/mm]は、次式（４）に示すように、
Ｍｒ＝Ｘｒｓ／Ｘｒ[pixel/mm]  ・・・（４）
で表される。
【００８３】
このとき、この投影画像ＰＪによって露光記録された要素ホログラムについて再生された再生像ＥＰＬが、観察者ＯＢによる観察視点から仮想的に所定の距離Ｄ[mm]だけ奥に離隔された位置に定位するものとし、観察者ＯＢによる観察視点からホログラム面ＳＦまでの距離をｅ[mm]とすると、ホログラム面ＳＦから再生像ＥＰＬまでの仮想的な距離は、距離Ｄと距離ｅとの差分であるｋ[mm]となる。
【００８４】
この場合、再生像ＥＰＬの大きさは、横方向（視差方向）の長さをＹｔ[mm]とし、縦方向（非視差方向）の長さをＸｔ[mm]とすると、それぞれ、次式（５）及び次式（６）に示すように、
Ｙｔ＝（Ｙｒ／ｚ）×ｋ＝２×ｔａｎ（θ／２）×ｋ  ・・・（５）
Ｘｔ＝（Ｘｒ／ｅ）×Ｄ＝（Ｘｒ／ｅ）×（ｅ＋ｋ）  ・・・（６）
となる。また、視点が変換された１枚の要素ホログラム画像に対応する画像に対する再生像ＥＰＬにおける縦方向の解像度Ｍｔ[pixel/mm]は、次式（７）に示すように、
Ｍｔ＝Ｍｒ×（Ｘｒ／Ｘｔ）＝Ｍｒ×（ｅ／Ｄ）  ・・・（７）
で表される。
【００８５】
さらに、最終的に作製されるホログラフィックステレオグラムの大きさに対する再生像の関係をまとめると、図１２に示すようになる。
【００８６】
作製されたホログラフィックステレオグラム全体から再生される再生像ＰＬの大きさは、その両端に位置する要素ホログラムについての再生像ＥＰＬの間隔で決定される。すなわち、ホログラフィックステレオグラムにおける横方向の長さをＹｕ[mm]とし、縦方向の長さをＸｕ[mm]とすると、両端に位置する要素ホログラムの間隔がＹｕ[mm]である。そして、図１１に示したように、これらの要素ホログラムについて再生される再生像ＥＰＬにおける横方向（視差方向）の長さがＹｔ[mm]であり、縦方向（非視差方向）の長さがＸｔ[mm]であることから、再生像ＰＬの大きさは、横方向（視差方向）の長さをＹｖ[mm]とし、縦方向（非視差方向）の長さをＸｖ[mm]とすると、それぞれ、次式（８）及び次式（９）に示すように、
Ｙｖ＝Ｙｕ＋Ｙｔ＝Ｙｕ＋（Ｙｒ／ｚ）×ｋ  ・・・（８）
Ｘｖ＝Ｘｔ＝（Ｘｒ／ｅ）×Ｄ＝（Ｘｒ／ｅ）×（ｅ＋ｋ）  ・・・（９）
となる。なお、視点が変換された１枚の要素ホログラム画像に対応する画像に対する再生像ＰＬにおける縦方向の解像度Ｍｖ[pixel/mm]も変わらず、次式（１０）に示すように、
Ｍｖ＝Ｍｔ＝Ｍｒ×（Ｘｒ／Ｘｔ）＝Ｍｒ×（ｅ／Ｄ）  ・・・（１０）
で表される。ここで、ホログラフィックステレオグラムにおける縦方向が非視差方向であって、物体光によって入射される投影画像ＰＪが縦方向については等倍で要素ホログラムとして露光記録されることから、投影画像ＰＪとホログラフィックステレオグラムとの大きさの関係においては、Ｘｒ＝Ｘｕとなる。
【００８７】
さて、印刷物製造装置１においては、上述した画像変換部３０によってパノラマ画像ＰＩを生成する一方、上述した画像処理部４０により、このような関係を有する原理を応用し、ホログラフィックステレオグラム画像として再生されるパノラマ画像ＰＩの再生像が観察視点から所定の距離に定位するように、マッピング変換処理を行う。このとき、画像処理部４０は、以下に示す３つの方法のいずれかを用いて、パノラマ画像ＰＩの再生像を定位させる観察視点からの所定の距離Ｄを決定する。ここでは、図１３に示すように、上述したディジタルスチルカメラ１００によって撮影することによって得られた６枚の画像ＩＩ１，ＩＩ２，ＩＩ３，ＩＩ４，ＩＩ５，ＩＩ６からなる入力済画像列ＩＩから生成したパノラマ画像ＰＩに対して、マッピング変換処理を行う場合について説明する。
【００８８】
ここで、入力済画像列ＩＩを構成する各画像ＩＩ１，ＩＩ２，ＩＩ３，ＩＩ４，ＩＩ５，ＩＩ６は、それぞれ、ディジタルスチルカメラ１００によって水平画角（視野角）が４０[degree]且つ垂直画角（視野角）が３０[degree]で撮影され、（横方向×縦方向）の画素数が（１２８０×９６０）[pixel]であるものとする。この場合、画像変換部３０は、（横方向×縦方向）の画素数が（２８８０×１６２０）[pixel]であるパノラマ画像ＰＩを生成するものとすると、このパノラマ画像ＰＩは、水平画角が９０[degree]且つ垂直画角が５０．６２５[degree]相当の画像となる。
【００８９】
画像処理部４０は、このようなパノラマ画像ＰＩに対して、以下の方法を用いて、パノラマ画像ＰＩの再生像を定位させる観察視点からの所定の距離Ｄを決定する。
【００９０】
まず、第１の方法は、パノラマ画像ＰＩの再生像における空間解像度を設定することによるものである。すなわち、第１の方法は、図１４（Ａ）に示すように、想定される観察視点から印刷物Ｐにおけるホログラム面ＳＦまでの距離をｅ[mm]としたときに、観察視点から距離Ｄ[mm]の位置にパノラマ画像ＰＩの再生像を解像度Ｍｖ[pixel/mm]で定位させるものである。これについて、数値を与えて具体的に説明する。
【００９１】
上述した（横方向×縦方向）の画素数が（２８８０×１６２０）[pixel]であるパノラマ画像ＰＩを、（横方向Ｙｕ×縦方向Ｘｕ）の長さが（４０×３０）[mm]のホログラフィックステレオグラムによって表示するものとし、想定される観察視点から印刷物Ｐにおけるホログラム面ＳＦまでの距離ｅ[mm]を５０[mm]としたとき、観察視点から距離Ｄ＝６０[mm]の位置にパノラマ画像ＰＩの再生像を解像度Ｍｖ＝４５[pixel/mm]で定位させるものとする。なお、パノラマ画像ＰＩに対してマッピング変換処理を施して視点が変換された視点変換画像列ＰＸＩを構成する複数の視点変換画像による投影画像ＰＪは、画角θ＝９０[degree]で露光記録されるものとする。
【００９２】
この場合、印刷しようとするパノラマ画像ＰＩの大きさは、観察視点から距離Ｄ＝６０[mm]の位置において、（横方向×縦方向）の長さが（６４×３６）[mm]となる。
【００９３】
一方、想定される観察視点から印刷物Ｐにおけるホログラム面ＳＦまでの距離ｅ[mm]を５０[mm]としたとき、（横方向Ｙｕ×縦方向Ｘｕ）の長さが（４０×３０）[mm]のホログラフィックステレオグラムによって観察視点から距離Ｄ＝６０[mm]の位置に表示可能な画像領域は、（横方向Ｙｖ×縦方向Ｘｖ）の長さが（６０×３６）[mm]となる。すなわち、このホログラフィックステレオグラムによって表示可能な画像領域は、（横方向×縦方向）の画素数が（２７００×１６２０）[pixel]となる。
【００９４】
したがって、画像処理部４０は、上述した（横方向×縦方向）の画素数が（２８８０×１６２０）[pixel]であるパノラマ画像ＰＩにおける周囲領域を切り落とし、同図中破線で囲まれた領域で示すように、（横方向×縦方向）の画素数が（２７００×１６２０）[pixel]であるパノラマ画像ＰＩ’を切り出し、このパノラマ画像ＰＩ’の全領域をマッピング変換処理に用いることにより、観察視点から距離Ｄ[mm]の位置にパノラマ画像ＰＩ’の再生像を定位させることができる。画像処理部４０は、この第１の方法を用いた場合には、再生像を定位させる位置に着目するならば、ホログラフィックステレオグラムの大きさやパノラマ画像ＰＩの画素数には関係なく、パノラマ画像ＰＩの空間的な大きさに関連付けて再生像を定位させることができる。
【００９５】
つぎに、第２の方法は、パノラマ画像ＰＩの画素数に着目して、図１４（Ｂ）に示すように、ホログラフィックステレオグラムからなる印刷物Ｐを通してパノラマ画像ＰＩの再生像の全てが観察できるように設定することによるものである。これについて、数値を与えて具体的に説明する。
【００９６】
上述した（横方向×縦方向）の画素数が（２８８０×１６２０）[pixel]であるパノラマ画像ＰＩを、（横方向Ｙｕ×縦方向Ｘｕ）の長さが（４０×３０）[mm]のホログラフィックステレオグラムによって表示するものとし、想定される観察視点から印刷物Ｐにおけるホログラム面ＳＦまでの距離ｅ[mm]を４０[mm]とする。なお、パノラマ画像ＰＩに対してマッピング変換処理を施して視点が変換された視点変換画像列ＰＸＩを構成する複数の視点変換画像による投影画像ＰＪは、画角θ＝９０[degree]で露光記録されるものとする。
【００９７】
この場合、ホログラフィックステレオグラム全体から再生される再生像の大きさは、横方向の（視差方向）長さＹｖ[mm]及び縦方向（非視差方向）の長さＸｖ[mm]が、それぞれ、次式（１１）及び次式（１２）に示すように、
Ｙｖ＝Ｙｕ＋Ｙｔ＝Ｙｕ＋（Ｙｒ／ｚ）×ｋ＝４０＋２×ｋ  ・・・（１５）
Ｘｖ＝（３０／４０）×（４０＋ｋ）  ・・・（１２）
となる。
【００９８】
この条件のもとに、ホログラフィックステレオグラムからなる印刷物Ｐを通してパノラマ画像ＰＩの再生像の全てが観察できるように、すなわち、画素数が（横方向×縦方向）＝（２８８０×１６２０）[pixel]であるパノラマ画像ＰＩと、（横方向×縦方向）＝（Ｙｖ×Ｘｖ）[mm]で表されるホログラフィックステレオグラム全体から再生される再生像の大きさとが一致するように、ホログラム面ＳＦから再生像までの仮想的な距離ｋ[mm]を求めると、２０[mm]となる。
【００９９】
これにより、ホログラフィックステレオグラム全体から再生される再生像の大きさは、（横方向Ｙｖ×縦方向Ｘｖ）＝（８０×４５）[mm]となり、（横方向×縦方向）＝（２８８０×１６２０）[pixel]であるパノラマ画像ＰＩを表示した場合の解像度Ｍｖ[pixel/mm]は、３６[pixel/mm]となる。
【０１００】
したがって、画像処理部４０は、上述した（横方向×縦方向）の画素数が（２８８０×１６２０）[pixel]であるパノラマ画像ＰＩに対して、上述したホログラム面ＳＦから再生像までの仮想的な距離ｋ＝２０[mm]と、解像度Ｍｖ＝３６[pixel/mm]とを用いてマッピング変換処理を行うことにより、観察視点から距離Ｄ＝ｅ＋ｋ＝４０＋２０＝６０[mm]の位置にパノラマ画像ＰＩの再生像を定位させることができる。画像処理部４０は、この第２の方法を用いた場合には、パノラマ画像ＰＩの画素数とその縦横比とに応じて、再生像を定位させる位置とその位置での空間的な解像度とを関連付けることができる。
【０１０１】
つぎに、第３の方法は、パノラマ画像ＰＩの視野角（画角）に着目して、図１４（Ｃ）に示すように、この視野角と同一又は一定の関係を有するように設定することによるものである。これについて、数値を与えて具体的に説明する。
【０１０２】
上述した（横方向×縦方向）の画素数が（２８８０×１６２０）[pixel]であり、水平画角が９０[degree]且つ垂直画角が５０．６２５[degree]相当であるパノラマ画像ＰＩを、（横方向Ｙｕ×縦方向Ｘｕ）の長さが（４０×３０）[mm]のホログラフィックステレオグラムによって表示するものとし、想定される観察視点から印刷物Ｐにおけるホログラム面ＳＦまでの距離ｅ[mm]を５０[mm]とする。ここで、ホログラフィックステレオグラムを正面中央部を観察視点として観察した場合における横方向（視差方向）の画角Ｙｕ＿ａｎｇ[degree]及び縦方向（非視差方向）の画角Ｘｕ＿ａｎｇ[degree]は、それぞれ、次式（１３）及び次式（１４）に示すように、
Ｙｕ＿ａｎｇ＝２×ｔａｎ−１（Ｙｕ／（２×ｅ））  ・・・（１３）
Ｘｕ＿ａｎｇ＝２×ｔａｎ−１（Ｘｕ／（２×ｅ））  ・・・（１４）
で求められ、Ｙｕ＿ａｎｇ＝４３．６０[degree]、Ｘｕ＿ａｎｇ＝３３．４０[degree]となる。
【０１０３】
パノラマ画像ＰＩに対してマッピング変換処理を施して視点が変換された視点変換画像列ＰＸＩを構成する複数の視点変換画像による投影画像ＰＪが、画角θ＝９０[degree]で露光記録されるものとすると、ホログラフィックステレオグラム全体から再生される再生像の大きさは、横方向の長さＹｖ[mm]及び縦方向（非視差方向）の長さＸｖ[mm]が、それぞれ、次式（１５）及び次式（１６）に示すように、
0003743313.tif 000002
となる。
【０１０４】
このとき、ホログラフィックステレオグラム全体から再生される再生像の横方向（視差方向）の画角Ｙｖ＿ａｎｇ[degree]及び縦方向（非視差方向）の画角Ｘｖ＿ａｎｇ[degree]は、それぞれ、次式（１７）及び次式（１８）に示すように、
0003743313.tif 000003
で求められる。ここで、縦方向（非視差方向）の画角Ｘｖ＿ａｎｇ[degree]は、上式（１６）及び上式（１８）を用いて、Ｘｖ＿ａｎｇ＝２×ｔａｎ−１（（３０／５０）／２）＝３３．４０[degree]となる。
【０１０５】
この条件のもとに、観察視点から距離Ｄ＝８０[mm]の位置にパノラマ画像ＰＩの再生像を定位させるものとすると、ホログラム面ＳＦから再生像までの仮想的な距離ｋ＝３０[mm]となることから、横方向（視差方向）の画角Ｙｖ＿ａｎｇ[degree]は、上式（１７）を用いて、Ｙｖ＿ａｎｇ＝６４．０１[degree]となる。
【０１０６】
これにより、想定される観察視点から印刷物Ｐにおけるホログラム面ＳＦまでの距離ｅ[mm]を５０[mm]としたとき、（横方向Ｙｕ×縦方向Ｘｕ）の長さが（４０×３０）[mm]のホログラフィックステレオグラムによって観察視点から距離Ｄ＝８０[mm]の位置に表示可能な画像領域は、（横方向×縦方向）の画素数が（６４．０１×２８８０／９０）×（３３．４０×１６２０／５０．６２５）＝（２０４８．３４×１０６８．７５）[pixel]となる。
【０１０７】
したがって、画像処理部４０は、上述した（横方向×縦方向）の画素数が（２８８０×１６２０）[pixel]であるパノラマ画像ＰＩにおける周囲領域を切り落とし、同図中破線で囲まれた領域で示すように、（横方向×縦方向）の画素数が（２０４８．３４×１０６８．７５）[pixel]であるパノラマ画像ＰＩ’を切り出し、このパノラマ画像ＰＩ’の全領域をマッピング変換処理に用いることにより、与えられたパノラマ画像ＰＩの視野角と同一の画角でのパノラマ画像ＰＩ’の表示が可能となる。このとき、ホログラフィックステレオグラムの正面中央部を観察視点として観察した場合における横方向（視差方向）の画角Ｙｕ＿ａｎｇ[degree]が４３．６０[degree]であるのに対して、ホログラフィックステレオグラム全体から再生される再生像の横方向（視差方向）の画角Ｙｖ＿ａｎｇ[degree]が６４．０１[degree]と大きくなっていることがわかる。画像処理部４０は、この第３の方法を用いた場合には、パノラマ画像ＰＩの画素数とその画角とに応じて、再生像を定位させる位置とその位置での空間的な解像度とを関連付けることができる。
【０１０８】
なお、ここでは、第３の方法として、与えられたパノラマ画像ＰＩの視野角と同一の画角を有するようにパノラマ画像ＰＩ’を切り出し、その切り出されたパノラマ画像ＰＩ’の全領域をマッピング変換処理に用いるものとして説明したが、同一の画角を有するようにしなくとも、例えば比例関係等の一定の関係を有するようにしてもよい。
【０１０９】
例えば、画像処理部４０は、上述した（横方向×縦方向）の画素数が（２８８０×１６２０）[pixel]であるパノラマ画像ＰＩにおける周囲領域を切り落とすことによって切り出すパノラマ画像ＰＩ’として、（横方向×縦方向）の画素数をともに所定数倍、例えば１．２５倍したものとし、（１．２５×６４．０１×２８８０／９０）×（１．２５×３３．４０×１６２０／５０．６２５）＝（２５６０．４３×１３３５．９４）[pixel]の画素数を有するパノラマ画像ＰＩ’を切り出し、このパノラマ画像ＰＩ’の全領域をマッピング変換処理に用いることにより、画角的に縮小する方式のパノラマ画像効果と、ホログラフィックステレオグラムが視差画像印刷物であることによるパノラマ画像効果との両方の効果を有するパノラマ画像の表示が可能となる。
【０１１０】
このように、画像処理部４０は、
○パノラマ画像ＰＩの再生像における空間解像度を設定する方法
○パノラマ画像ＰＩの画素数に基づいて、パノラマ画像ＰＩの再生像の全てが観察できるように設定する方法
○パノラマ画像ＰＩの視野角（画角）と同一又は一定の関係を有するように設定する方法
のいずれかを用いて、パノラマ画像ＰＩの再生像を定位させる観察視点からの所定の距離Ｄを決定することができる。なお、作製されたホログラフィックステレオグラムは、横方向の視差については、このようなマッピング変換処理によって視点位置情報の補正がなされ、縦方向については、パノラマ画像ＰＩの情報がそのまま保存される。これにより、印刷物製造装置１は、観察者が印刷物Ｐを介してパノラマ画像ＰＩを観察する上で、視覚的に位置関係の矛盾が少なく、高臨場感且つ高画質の表示が可能な印刷物Ｐを製造することができる。
【０１１１】
また、印刷物Ｐは、ホログラム面ＳＦの近傍にパノラマ画像ＰＩが定位されずに、ホログラム面ＳＦから奥の所定の距離に定位されているため、記録されているスリット状の要素ホログラム画像の筋が視認されにくいものとなる。すなわち、ホログラム面ＳＦの近傍にホログラフィックステレオグラム画像が定位するように作製されたホログラフィックステレオグラムは、通常、記録されている要素ホログラム画像の数が解像度となる。そのため、ホログラフィックステレオグラムは、要素ホログラム画像の数が少ない場合には、その筋が観察者に視認されやすく、解像度の粗いホログラフィックステレオグラム画像が再生されるものとなる。印刷物Ｐは、ホログラム面ＳＦの近傍にホログラフィックステレオグラム画像たるパノラマ画像ＰＩが定位されないことから、要素ホログラムの数が解像度に直接影響するものではなくなり、要素ホログラム画像の筋が観察者に視認されにくいものとなる。なお、この効果は、パノラマ画像ＰＩを記録する場合に限られたものではなく、任意の画像を記録する場合にも生じるものである。
【０１１２】
以上説明したように、本発明の実施の形態として示す印刷物製造装置１は、画像変換部３０によって複数の画像をパノラマ画像ＰＩに変換し、画像処理部４０によってパノラマ画像ＰＩが所定の距離に定位するようにマッピング変換処理を施して視点変換画像を生成し、印刷部６０によってホログラフィックステレオグラムとして印刷することにより、印刷物でありながら、パノラマ画像ＰＩの大きさよりも物理的に小さい表示面ＳＦから当該パノラマ画像ＰＩの全情報を高画質で観察することができる携帯性に優れた印刷物Ｐを製造することができる。したがって、観察者は、専用のビューアソフトウェアが動作可能なシステムを要することなく、パノラマ画像のようなサイズの大きい静止画像を観察することができ、高い娯楽と優れた利便を享受することができる。
【０１１３】
また、印刷物製造装置１は、既存のディジタルスチルカメラ１００やビデオカメラレコーダ等によって撮影された画像列Ｉを入力すればよく、この画像列Ｉを得るために専用のカメラを用いる必要がない。通常、連続画像や横流し画像を撮影する際には、カメラの上下動等の視線の移動方向に対する誤差や、カメラが一定速度でないことによる視線の移動量に対する誤差、さらには手ぶれといった精確な撮影を阻害する種々の要因を考慮して、例えば、図１５（Ａ）に示すように、被写体ＯＢＪに対して、視差方向である水平方向に移動するカメラＨＣＭや、同図（Ｂ）に示すように、被写体ＯＢＪに対して、固定位置で水平方向に回転するカメラＲＣＭといったように、専用カメラを用いなければならない。一方、印刷物製造装置１を用いる場合には、撮影者は、これらの全ての阻害要因を考慮する必要がなく、既存のディジタルスチルカメラ１００やビデオカメラレコーダ等によって画像列Ｉを撮影すればよい。
【０１１４】
さらに、印刷物製造装置１は、画像処理部４０によるマッピング変換処理を行う際に、パノラマ画像ＰＩの投影方法情報を用いて視点変換画像を生成することにより、臨場感の高い印刷物Ｐを製造することができる。
【０１１５】
なお、本発明は、上述した実施の形態に限定されるものではない。例えば、上述した実施の形態では、印刷物製造装置１が短冊状の複数の要素ホログラムを１つのホログラム用記録媒体１１０に露光記録することにより、横方向の視差情報を有するホログラフィックステレオグラムからなる印刷物Ｐを製造するものとして説明したが、本発明は、パノラマ画像ＰＩに対して縦方向にも視点の変換を施し、ドット状の複数の要素ホログラムを１つのホログラム用記録媒体１１０に露光記録することにより、横方向及び縦方向の視差情報を有するホログラフィックステレオグラムからなる印刷物Ｐを製造するものであってもよい。
【０１１６】
また、上述した実施の形態では、印刷物製造装置１がホログラフィックステレオグラムとしての印刷物Ｐを製造するものとして説明したが、本発明は、レンチキュラシートやホログラムとしての印刷物Ｐを製造するものであってもよく、上述したパノラマ画像を定位させるための方法にしたがうことによってパノラマ画像を表示することが可能となる。
【０１１７】
さらに、上述した実施の形態では、パノラマ画像ＰＩをホログラム面ＳＦに対して奥の所定の距離に定位するように記録している印刷物Ｐを製造する例を中心に説明したが、本発明は、パノラマ画像ＰＩをホログラム面ＳＦに対して手前の所定の距離に定位するように記録している印刷物Ｐを製造するものにも容易に適用可能である。この場合、製造された印刷物Ｐは、ホログラム面ＳＦの近傍にパノラマ画像ＰＩが定位されるのではないことから、記録されている要素ホログラム画像の筋が視認されにくいものとなることは勿論である。
【０１１８】
このように、本発明は、その趣旨を逸脱しない範囲で適宜変更が可能であることはいうまでもない。
【０１１９】
【発明の効果】
以上詳細に説明したように、本発明にかかる印刷物製造装置は、視差画像に基づいて印刷物を製造する印刷物製造装置であって、複数の画像を入力する画像入力手段と、この画像入力手段によって入力された複数の画像を繋ぎ合わせて連続したパノラマ画像への変換処理を施す画像変換手段と、この画像変換手段によって変換されて生成されたパノラマ画像に基づいて複数の視点変換画像を生成する視点変換手段と、この視点変換手段によって生成された複数の視点変換画像に基づいて印刷物を製造する印刷手段とを備え、視点変換手段は、上記印刷物を通して再生される上記パノラマ画像の再生画像の全てが観察できるように、上記パノラマ画像の再生像が観察視点から所定の距離に定位するように、複数の視点変換画像を生成する。
【０１２０】
したがって、本発明にかかる印刷物製造装置は、複数の画像に基づいて画像変換手段によってパノラマ画像を生成し、このパノラマ画像が観察視点から所定の距離に定位するように視点変換手段によって複数の視点変換画像を生成し、この複数の視点変換画像に基づいて印刷手段によって印刷物を製造することにより、印刷物でありながら、パノラマ画像の大きさよりも物理的に小さい表示面から当該パノラマ画像の全情報を高画質で観察することができる携帯性に優れた印刷物を製造することができ、観察者に対して、高い娯楽と優れた利便を提供することができる。
【図面の簡単な説明】
【図１】パノラマ画像と本発明の実施の形態として示す印刷物製造装置によって製造された印刷物との関係を説明する図であり、観察者が印刷物を通して静止画像であるパノラマ画像を観察する様子を概念的に説明するための図である。
【図２】パノラマ画像と印刷物との関係を説明する図であり、観察者が異なる観察視点から印刷物を観察することによってパノラマ画像の全情報を観察することができる様子を概念的に説明するための図である。
【図３】同印刷物製造装置の構成を説明するブロック図である。
【図４】同印刷物製造装置で用いられるホログラム用記録媒体を説明する要部断面図である。
【図５】同ホログラム用記録媒体の感光プロセスを説明する図であって、（Ａ）は、初期状態を示し、（Ｂ）は、露光状態を示し、（Ｃ）は、定着状態を示す図である。
【図６】同印刷物製造装置が備える印刷部における光学系を説明する図であって、（Ａ）は、同光学系の正面図であり、（Ｂ）は、同光学系の平面図である。
【図７】同印刷部が備える記録媒体走行系の構成を説明する図である。
【図８】同印刷物製造装置が備える画像処理部によるマッピング変換処理の概略を説明する図であって、マッピング変換処理を施してホログラフィックステレオグラムとしての印刷物を製造した場合におけるホログラフィックステレオグラム画像たるパノラマ画像の様子を示す図である。
【図９】同画像処理部によるマッピング変換処理の基本原理を説明する図であって、投影画像とスクリーン面上に投影される仮想投影像とホログラム面との関係を説明するための図である。
【図１０】同画像処理部によるマッピング変換処理の基本原理を説明する図であって、（Ａ）は、投影画像とスクリーン面とホログラム面との関係を平面図で表したものであり、（Ｂ）は、これらの関係を側面図で表したものである。
【図１１】同画像処理部によるマッピング変換処理の基本原理を説明する図であって、マッピング変換処理が施されて視点が変換された１枚の要素ホログラム画像に対応する画像と再生像との関係を説明するための図である。
【図１２】同画像処理部によるマッピング変換処理の基本原理を説明する図であって、最終的に作製されるホログラフィックステレオグラムの大きさに対する再生像の関係を説明するための図である。
【図１３】例示としてのパノラマ画像を生成する様子を説明する図である。
【図１４】パノラマ画像の再生像を定位させる観察視点からの所定の距離を決定する際の同画像処理部における処理内容を説明する図であって、（Ａ）は、パノラマ画像の再生像における空間解像度を設定することによる第１の方法を示し、（Ｂ）は、パノラマ画像の画素数に着目して、ホログラフィックステレオグラムからなる印刷物Ｐを通してパノラマ画像の再生像の全てが観察できるように設定することによる第２の方法を示し、（Ｃ）は、パノラマ画像の視野角（画角）に着目して、この視野角と同一又は一定の関係を有するように設定することによる第３の方法を示す図である。
【図１５】連続画像や横流し画像を撮影する専用カメラによる通常の撮影方法を説明する図であって、（Ａ）は、被写体に対して、水平方向に移動するカメラを示し、（Ｂ）は、被写体に対して、固定位置で水平方向に回転するカメラを示す図である。
【図１６】従来のパノラマ画像と印刷物又は写真との関係を説明する図である。
【図１７】従来のパノラマ画像とビューアソフトウェアとの関係を説明する図である。
【符号の説明】
１  印刷物製造装置、  １０  画像処理用コンピュータ、  ２０  画像入力部、  ３０  画像変換部、  ４０  画像処理部、  ５０  印刷制御部、  ６０  印刷部、  １１０  ホログラム用記録媒体、  Ｉ  画像列、  ＩＩ  入力済画像列、  Ｐ  印刷物、  ＰＩ  パノラマ画像、  ＰＸＩ  視点変換画像列
【図１】
0003743313.tif 000004
【図２】
0003743313.tif 000005
【図３】
0003743313.tif 000006
【図４】
0003743313.tif 000007
【図５】
0003743313.tif 000008
【図６】
0003743313.tif 000009
【図７】
0003743313.tif 000010
【図８】
0003743313.tif 000011
【図９】
0003743313.tif 000012
【図１０】
0003743313.tif 000013
【図１１】
0003743313.tif 000014
【図１２】
0003743313.tif 000015
【図１３】
0003743313.tif 000016
【図１４】
0003743313.tif 000017
【図１５】
0003743313.tif 000018
【図１６】
0003743313.tif 000019
【図１７】
0003743313.tif 000020